(57)【要約】【課題】  設計の容易化、対物レンズ駆動装置の動作制御における信頼性の向上及び薄型化を図る。【解決手段】  対物レンズ駆動装置８に、固定ブロック１１と、該固定ブロックに対してフォーカシング方向、トラッキング方向及びチルト方向へ動作されると共に２つの対物レンズ２４、２５を保持する可動ホルダー１２と、固定ブロックと可動ホルダーとを連結する支持バネ１６、１６、・・・と、可動ホルダーのフォーカシング方向、トラッキング方向又はチルト方向への動作時に通電される駆動コイル１７、１９とを設け、該駆動コイルを上記２つの対物レンズと固定ブロックとの間に配置し、一方の対物レンズのレンズ中心Ｐをディスクテーブル３の回転中心Ｓを通り上記半径方向に延びる第１の線分上Ｌｒに対応して位置させ、他方の対物レンズのレンズ中心Ｑを上記第１の線分から外れた位置、かつ、上記タンジェンシャル方向に延び上記一方の対物レンズのレンズ中心を通る第２の線分Ｌｔよりディスクテーブル側に位置させるようにした。【選択図】  図６
2005302164.tif 000002
【特許請求の範囲】
【請求項１】
ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して３種類の波長のレーザー光を照射する光ピックアップであって、
上記対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作されると共に２つの対物レンズを保持する可動ホルダーと、
固定ブロックと可動ホルダーとを連結する支持バネと、
可動ホルダーのフォーカシング方向、トラッキング方向又はチルト方向への動作時に通電される駆動コイルとを備え、
該駆動コイルは上記２つの対物レンズと固定ブロックとの間に配置され、
一方の対物レンズはレンズ中心が、ディスクテーブルの回転中心を通り上記半径方向に延びる第１の線分上に対応して位置され、
他方の対物レンズはレンズ中心が、上記第１の線分から外れた位置、かつ、上記タンジェンシャル方向に延び上記一方の対物レンズのレンズ中心を通る第２の線分よりディスクテーブル側に位置されるようにした
ことを特徴とする光ピックアップ。
【請求項２】
上記２つの対物レンズの重量が異なるようにし、
重量の大きな対物レンズを重量の小さな対物レンズより上記駆動コイル側に配置した
ことを特徴とする請求項１に記載の光ピックアップ。
【請求項３】
上記２つの対物レンズの厚みが異なるようにし、
厚みの厚い対物レンズを厚みの薄い対物レンズより上記固定ブロック側に配置し、
波長の長さに応じてレーザー光を反射又は透過し反射したレーザー光を厚みの薄い対物レンズへ導く第１の立ち上げミラーを設け、
該第１の立ち上げミラーを透過したレーザー光を反射して厚みの厚い対物レンズへ導く第２の立ち上げミラーを設けた
ことを特徴とする請求項１に記載の光ピックアップ。
【請求項４】
波長の異なるレーザー光を立ち上げて上記２つの対物レンズにそれぞれ入射させる２つの立ち上げミラーを設け、
光源から出射されたレーザー光が異なる光路を通って各立ち上げミラーに入射され、
各立ち上げミラーに入射される上記レーザー光の光軸がフォーカシング方向において異なって位置されるようにした
ことを特徴とする請求項１に記載の光ピックアップ。
【請求項５】
ディスク状記録媒体が装着されるディスクテーブルと該ディスクテーブルに装着されるディスク状記録媒体に対して対物レンズを介してレーザー光を照射する光ピックアップとを備え、該光ピックアップはディスクテーブルに装着されるディスク状記録媒体の半径方向へ移動される移動ベースと該移動ベースに配置された対物レンズ駆動装置とを有すると共にディスクテーブルに装着された使用波長の異なる各ディスク状記録媒体に対応して３種類の波長のレーザー光を照射するように構成されたディスクドライブ装置であって、
上記対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作されると共に２つの対物レンズを保持する可動ホルダーと、
固定ブロックと可動ホルダーとを連結する支持バネと、
可動ホルダーのフォーカシング方向、トラッキング方向又はチルト方向への動作時に通電される駆動コイルとを備え、
該駆動コイルは上記２つの対物レンズと固定ブロックとの間に配置され、
一方の対物レンズはレンズ中心が、ディスクテーブルの回転中心を通り上記半径方向に延びる第１の線分上に対応して位置され、
他方の対物レンズはレンズ中心が、上記第１の線分から外れた位置、かつ、上記タンジェンシャル方向に延び上記一方の対物レンズのレンズ中心を通る第２の線分よりディスクテーブル側に位置されるようにした
ことを特徴とするディスクドライブ装置。
【請求項６】
上記２つの対物レンズの重量が異なるようにし、
重量の大きな対物レンズを重量の小さな対物レンズより上記駆動コイル側に配置した
ことを特徴とする請求項５に記載のディスクドライブ装置。
【請求項７】
上記２つの対物レンズの厚みが異なるようにし、
厚みの厚い対物レンズを厚みの薄い対物レンズより上記固定ブロック側に配置し、
波長の長さに応じてレーザー光を反射又は透過し反射したレーザー光を厚みの薄い対物レンズへ導く第１の立ち上げミラーを設け、
該第１の立ち上げミラーを透過したレーザー光を反射して厚みの厚い対物レンズへ導く第２の立ち上げミラーを設けた
ことを特徴とする請求項５に記載のディスクドライブ装置。
【請求項８】
波長の異なるレーザー光を立ち上げて上記２つの対物レンズにそれぞれ入射させる２つの立ち上げミラーを設け、
光源から出射されたレーザー光が異なる光路を通って各立ち上げミラーに入射され、
各立ち上げミラーに入射される上記レーザー光の光軸がフォーカシング方向において異なって位置されるようにした
ことを特徴とする請求項５に記載のディスクドライブ装置。
【発明の詳細な説明】
【技術分野】
【０００１】
本発明は光ピックアップ及びディスクドライブ装置に関する。詳しくは、可動ブロックが固定ブロックに対してフォーカシング方向、トラッキング方向及びチルト方向の３方向へ動作される対物レンズ駆動装置を有する光ピックアップ及びこれを備えたディスクドライブ装置についての技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置によって、その可動ブロックに設けられた対物レンズをディスク状記録媒体の記録面に離接する方向であるフォーカシング方向へ動作させてフォーカシング調整を行うと共に対物レンズをディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００４】
このように光ピックアップにあっては、対物レンズ駆動装置によってフォーカシング調整及びトラッキング調整を行うのが一般的であるが、近年、レーザー光のスポットの記録トラックに対する追従性の向上等を図るために、フォーカシング調整及びトラッキング調整の２軸方向の調整に加え、可動ブロックをディスク状記録媒体の記録面に対して傾動可能とし、回転中のディスク状記録媒体に面振れ等が生じたときのチルト調整をも可能とした所謂３軸アクチュエーターと称される対物レンズ駆動装置が開発されている。
【０００５】
一方、ディスク状記録媒体は、近年、記録密度やカバー厚み等の相違により種々のタイプが開発されており、このようなディスク状記録媒体として、例えば、レーザー光の使用波長が７８０ｎｍ付近であるＣＤ（Compact Disc）、使用波長が６６０ｎｍ付近であるＤＶＤ（Digital Versatile Disc）、使用波長が４０５ｎｍ付近であるＢｌｕ―ｒａｙディスク（ＢＤ）、同じく使用波長が４０５ｎｍ付近であるＡＯＤ（Advanced Optical Disc）等が存在する。尚、ＡＯＤ規格に略準拠した規格としてＨＤ−ＤＶＤ（High Definition  ＤＶＤ）がある。
【０００６】
このようなレーザー光の使用波長の異なる複数の種類のディスク状記録媒体に対して情報信号の記録や再生を行う光ピックアップとして、複数のディスク状記録媒体に対応した２つの対物レンズを備えたものがある（例えば、特許文献１参照）。
【０００７】
特許文献１に記載された光ピックアップにあっては、例えば、約６６０ｎｍのレーザー光を用いるディスク状記録媒体と約７８０ｎｍのレーザー光を用いるディスク状記録媒体に対応する２つの対物レンズを有する対物レンズ駆動装置が設けられ、約７８０ｎｍのレーザー光が一方の対物レンズによって一方のディスク状記録媒体の記録面に集光され、約６６０ｎｍのレーザー光が他方の対物レンズによって他方のディスク状記録媒体の記録面に集光されて、各ディスク状記録媒体に対する情報信号の記録や再生が行われる。
【０００８】
このような２つの対物レンズを有する光ピックアップにあっては、図９に示すように、光ピックアップａの移動方向、即ち、ディスク状記録媒体の半径方向（ＲＡＤ）に延びディスクテーブルｂの回転中心Ｓを通る線分Ｌ上に、対物レンズ駆動装置ｃの可動ブロックｄに設けられた一方の対物レンズｅの中心を一致させると、他方の対物レンズｆはタンジェンシャル方向（ＴＡＮ）、即ち、ディスク状記録媒体の記録トラックの接線方向において一方の対物レンズｅと離隔した位置に配置されることになる。このとき、一方の対物レンズｅによってディスク状記録媒体の最内周に記録された情報を読み取る位置を光ピックアップａの移動方向における内側の移動端に設定してしまうと、他方の対物レンズｆによってディスク状記録媒体の最内周に記録された情報を読み取ることができなくなってしまう。
【０００９】
従って、他方の対物レンズｆによってディスク状記録媒体の最内周に記録された情報を読み取る位置を光ピックアップａの移動方向における内側の移動端に設定する必要があるが、この場合には、光ピックアップａとディスクテーブルｂやこれを駆動するためのスピンドルモーターとの接触を回避するために、ディスクテーブルｂやスピンドルモーターの一部を凹ます等の手段が必要となり、ディスクドライブ装置の設計が困難となり製造コストの高騰を来たすという問題が生じてしまう。
【００１０】
そこで、図１０に示すように、特許文献１に記載された光ピックアップｇにあっては、対物レンズ駆動装置ｈをタンジェンシャル方向に対して斜めに配置し、可動ブロックｉに設けられた一方の対物レンズｊの中心を線分Ｌ上に位置させた状態で、他方の対物レンズｋをディスクテーブルｂに近付くようにしている。
【００１１】
このように対物レンズ駆動装置ｈをタンジェンシャル方向に対して斜めに配置することにより、光ピックアップｇが内側の移動端に移動されたときに、一方の対物レンズｊによってディスク状記録媒体の最内周に記録された情報を読み取ることができると共に他方の対物レンズｋによってもディスク状記録媒体の最内周に記録された情報を読み取ることができるようになっている。
【００１２】
【特許文献１】特開平１１―２５０４７９号公報
【発明の開示】
【発明が解決しようとする課題】
【００１３】
ところが、上記した特許文献１に記載された光ピックアップｇにあっては、対物レンズ駆動装置ｈをタンジェンシャル方向に対して斜めに配置することにより、設計の困難性等の問題を回避するようにしているが、対物レンズ駆動装置ｈを斜めに配置する分、トラッキング調整時における可動ブロックｉの動作方向がディスク状記録媒体の半径方向に対してずれた方向となってしまう（図１０に示すＡ−Ａ方向）。
【００１４】
従って、トラッキング調整が難しくなり、対物レンズ駆動装置ｈのトラッキング動作に悪影響を及ぼすおそれがある。
【００１５】
また、フォーカシング調整及びトラッキング調整に加え、上記したように、可動ブロックをチルト方向へ動作させるチルト調整を行った場合には、対物レンズ駆動装置をタンジェンシャル方向に対して斜めに配置する分、可動ブロックのチルト動作の方向とディスク状記録媒体の面振れによる変位方向とが一致せず、チルト調整時における動作にも悪影響を及ぼすおそれがある。
【００１６】
一方、対物レンズ駆動装置には種々のタイプがあるが、一般には、可動ブロックを挟んでディスク状記録媒体の反対側に配置した立ち上げミラーによってレーザー光を対物レンズに導いている。この場合に、例えば、対物レンズの周囲にコイルやマグネット等によって構成される磁気回路が配置されているようなタイプでは、立ち上げミラーに入射させるためのレーザー光の光路を磁気回路を避けた位置に設定する必要があり、その分、対物レンズ駆動装置の厚みが増し、薄型化を図ることができなくなってしまう。特に、携帯用の機器に用いられる光ピックアップにあっては、薄型化の要求が高い。
【００１７】
そこで、本発明光ピックアップ及びディスクドライブ装置は、上記した問題点を克服し、設計の容易化、対物レンズ駆動装置の動作制御における信頼性の向上及び薄型化を図ることを課題とする。
【課題を解決するための手段】
【００１８】
本発明光ピックアップ及びディスクドライブ装置は、上記した課題を解決するために、対物レンズ駆動装置に、移動ベースに固定された固定ブロックと、該固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作されると共に２つの対物レンズを保持する可動ホルダーと、固定ブロックと可動ホルダーとを連結する支持バネと、可動ホルダーのフォーカシング方向、トラッキング方向又はチルト方向への動作時に通電される駆動コイルとを設け、該駆動コイルを上記２つの対物レンズと固定ブロックとの間に配置し、一方の対物レンズのレンズ中心をディスクテーブルの回転中心を通り上記半径方向に延びる第１の線分上に対応して位置させ、他方の対物レンズのレンズ中心を上記第１の線分から外れた位置、かつ、上記タンジェンシャル方向に延び上記一方の対物レンズのレンズ中心を通る第２の線分よりディスクテーブル側に位置させるようにしたものである。
【００１９】
従って、本発明光ピックアップ及びディスクドライブ装置にあっては、２つの対物レンズのレンズ中心間を結ぶ線分がタンジェンシャル方向に対して傾斜されると共にトラッキング調整時に可動ブロックが略半径方向へ移動される。
【発明の効果】
【００２０】
本発明光ピックアップは、ディスクテーブルに装着されるディスク状記録媒体の半径方向へ移動される移動ベースと該移動ベースに配置された対物レンズ駆動装置とを備え、ディスクテーブルに装着された使用波長の異なる各ディスク状記録媒体に対応して３種類の波長のレーザー光を照射する光ピックアップであって、上記対物レンズ駆動装置は、上記移動ベースに固定された固定ブロックと、該固定ブロックに対してディスク状記録媒体の記録面に離接する方向であるフォーカシング方向、ディスク状記録媒体の略半径方向であるトラッキング方向及びディスク状記録媒体の上記半径方向に直交しディスク状記録媒体の接線方向となるタンジェンシャル方向に延びる軸の軸回り方向であるチルト方向へ動作されると共に２つの対物レンズを保持する可動ホルダーと、固定ブロックと可動ホルダーとを連結する支持バネと、可動ホルダーのフォーカシング方向、トラッキング方向又はチルト方向への動作時に通電される駆動コイルとを備え、該駆動コイルは上記２つの対物レンズと固定ブロックとの間に配置され、一方の対物レンズはレンズ中心が、ディスクテーブルの回転中心を通り上記半径方向に延びる第１の線分上に対応して位置され、他方の対物レンズはレンズ中心が、上記第１の線分から外れた位置、かつ、上記タンジェンシャル方向に延び上記一方の対物レンズのレンズ中心を通る第２の線分よりディスクテーブル側に位置されるようにしたことを特徴とする。
【００２１】
従って、ディスクテーブルやスピンドルモーターの一部を凹ます等の設計を行うことなく、２つの対物レンズのそれぞれによって各ディスク状記録媒体の最内周に記録された情報信号の読取を行うことができる。
【００２２】
また、対物レンズ駆動装置をタンジェンシャル方向に対して斜めに配置しないため、トラッキング調整時において可動ブロックが移動される方向がディスク状記録媒体の半径方向に一致し、チルト調整時において可動ブロックが移動される方向がディスク状記録媒体の面振れ等に追従する方向に一致し、トラッキング調整時及びチルト調整時における制御動作の適正化及び動作の信頼性の向上を図ることができる。
【００２３】
さらに、一方の対物レンズのレンズ中心をディスクテーブルの回転中心を通る第１の線分上に位置させているため、第１の対物レンズを用いて情報信号の記録再生を行うディスク状記録媒体において、トラッキング誤差信号の読取を所謂３ビーム法や差動プッシュプル法を用いて行うことができる。
【００２４】
さらにまた、駆動コイルが２つの対物レンズと固定ブロックとの間に配置されているため、２つの立ち上げミラーにそれぞれ入射されるレーザー光の光路を駆動コイルやマグネット等によって構成される磁気回路とフォーカシング方向における同じ位置に設定することができ、その分、光ピックアップの薄型化を図ることができる。
【００２５】
請求項２に記載した発明にあっては、上記２つの対物レンズの重量が異なるようにし、重量の大きな対物レンズを重量の小さな対物レンズより上記駆動コイル側に配置したので、上記駆動コイルのフォーカス及びトラッキング駆動力発生位置と、可動ブロック全体の重心位置とを略一致させる際の付加重量の低減が可能となり、対物レンズ駆動装置の高感度化を図ることができる。
【００２６】
請求項３に記載した発明にあっては、上記２つの対物レンズの厚みが異なるようにし、厚みの厚い対物レンズを厚みの薄い対物レンズより上記固定ブロック側に配置し、波長の長さに応じてレーザー光を反射又は透過し反射したレーザー光を厚みの薄い対物レンズへ導く第１の立ち上げミラーを設け、該第１の立ち上げミラーを透過したレーザー光を反射して厚みの厚い対物レンズへ導く第２の立ち上げミラーを設けたので、可動ブロックがフォーカシング方向へ移動されたときにおいても、対物レンズが第１の立ち上げミラーと接触するおそれがなく、光ピックアップの小型化を図ることができる。
【００２７】
また、第１の立ち上げミラーに入射されるレーザー光と第２の立ち上げミラーに入射されるレーザー光の光路を同じ光路とすることができ、光路上に配置される各光学素子の部品の共通化や各光学素子の配置スペースを小さくすることができ、光ピックアップの部品点数の低減及び小型化を図ることができる。
【００２８】
請求項４に記載した発明にあっては、波長の異なるレーザー光を立ち上げて上記２つの対物レンズにそれぞれ入射させる２つの立ち上げミラーを設け、光源から出射されたレーザー光が異なる光路を通って各立ち上げミラーに入射され、各立ち上げミラーに入射される上記レーザー光の光軸がフォーカシング方向において異なって位置されるようにしたので、可動ホルダーの一部を各立ち上げミラーに接触しない位置まで大きく突出させて形成することができ、可動ブロックの剛性が高くなり、可動ブロックの動作時における共振特性の向上を図ることができる。
【００２９】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備え、該光ピックアップはディスクテーブルに装着されるディスク状記録媒体の半径方向へ移動される移動ベースと該移動ベースに配置された対物レンズ駆動装置とを有すると共にディスクテーブルに装着された使用波長の異なる各ディスク状記録媒体に対応して３種類の波長のレーザー光を照射するように構成されたディスクドライブ装置であって、上記対物レンズ駆動装置は、
請求項６に記載した発明にあっては、上記２つの対物レンズの重量が異なるようにし、重量の大きな対物レンズを重量の小さな対物レンズより上記駆動コイル側に配置したので、上記駆動コイルのフォーカス及びトラッキング駆動力発生位置と、可動ブロック全体の重心位置とを略一致させる際の付加重量の低減が可能となり、対物レンズ駆動装置の高感度化を図ることができる。
【００３０】
請求項７に記載した発明にあっては、上記２つの対物レンズの厚みが異なるようにし、厚みの厚い対物レンズを厚みの薄い対物レンズより上記固定ブロック側に配置し、波長の長さに応じてレーザー光を反射又は透過し反射したレーザー光を厚みの薄い対物レンズへ導く第１の立ち上げミラーを設け、該第１の立ち上げミラーを透過したレーザー光を反射して厚みの厚い対物レンズへ導く第２の立ち上げミラーを設けたので、可動ブロックがフォーカシング方向へ移動されたときにおいても、対物レンズが第１の立ち上げミラーと接触するおそれがなく、ディスクドライブ装置の小型化を図ることができる。
【００３１】
また、第１の立ち上げミラーに入射されるレーザー光と第２の立ち上げミラーに入射されるレーザー光の光路を同じ光路とすることができ、光路上に配置される各光学素子の部品の共通化や各光学素子の配置スペースを小さくすることができ、ディスクドライブ装置の部品点数の低減及び小型化を図ることができる。
【００３２】
請求項８に記載した発明にあっては、波長の異なるレーザー光を立ち上げて上記２つの対物レンズにそれぞれ入射させる２つの立ち上げミラーを設け、光源から出射されたレーザー光が異なる光路を通って各立ち上げミラーに入射され、各立ち上げミラーに入射される上記レーザー光の光軸がフォーカシング方向において異なって位置されるようにしたので、可動ホルダーの一部を各立ち上げミラーに接触しない位置まで大きく突出させて形成することができ、可動ブロックの剛性が高くなり、可動ブロックの動作時における共振特性の向上を図ることができる。
【発明を実施するための最良の形態】
【００３３】
以下に、本発明光ピックアップ及びディスクドライブ装置の最良の形態を添付図面を参照して説明する。
【００３４】
ディスクドライブ装置１は、外筐２内に所要の各部材及び各機構が配置されて成り（図１参照）、外筐２には図示しないディスク挿入口が形成されている。
【００３５】
外筐２内には図示しないシャーシが配置され、該シャーシに取り付けられたスピンドルモーターのモーター軸にディスクテーブル３が固定されている。
【００３６】
シャーシには、平行なガイド軸４、４が取り付けられると共に図示しない送りモーターによって回転されるリードスクリュー５が支持されている。
【００３７】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００３８】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００３９】
ディスク状記録媒体１００としては、例えば、ＤＶＤ（Digital Versatile Disc）１００ａとＣＤ（Compact Disc）１００ｂに加え、Ｂｌｕ―ｒａｙディスク（ＢＤ）１００ｃ又はＡＯＤ（Advanced Optical Disc）１００ｄが用いられる。これらの各ディスク状記録媒体１００のレーザー光の使用波長は、ＤＶＤ１００ａが約６６０ｎｍ、ＣＤ１００ｂが約７８０ｎｍ、ＢＤ１００ｃ及びＡＯＤ１００ｄが約４０５ｎｍである。
【００４０】
各ディスク状記録媒体１００のカバー厚みは、ＤＶＤ１００ａが０．６ｍｍ、ＣＤ１００ｂが１．２ｍｍ、ＢＤ１００ｃが０．１ｍｍ、ＡＯＤ１００ｄが０．６ｍｍである。
【００４１】
対物レンズ駆動装置８に設けられる後述する対物レンズの開口数としては、各ディスク状記録媒体１００の使用波長やカバー厚み等を考慮して、ＣＤ１００ｂは０．５程度、ＤＶＤ１００ａ及びＡＯＤ１００ｄは０．６５程度、ＢＤ１００ｃは０．８５程度とすることが望ましい。
【００４２】
対物レンズ駆動装置８はベース部材９と固定プレート１０と固定ブロック１１と該固定ブロック１１に対して動作される可動ブロック１２とを有している（図２乃至図５参照）。
【００４３】
ベース部材９は磁性金属材料によって形成され、図２に示すように、移動ベース７上に固定されたベース部９ａと該ベース部９ａからそれぞれ直角に立ち曲げられたヨーク部９ｂ、９ｂとから成る。ヨーク部９ｂ、９ｂは前後方向、即ち、ディスク状記録媒体１００のタンジェンシャル方向（ＴＡＮ）に離隔して設けられている。
【００４４】
ヨーク部９ｂ、９ｂの互いに対向する面には、それぞれマグネット１３、１３が取り付けられている。
【００４５】
固定プレート１０はベース部材９に対してタンジェンシャル方向（後方）に離隔して設けられ、移動ベース７上に固定されている。
【００４６】
固定ブロック１１は固定プレート１０上に固定され、固定ブロック１１の後面には、その左右両端部に上下に離隔して合計４つの端子部１４、１４、・・・が設けられている（図２乃至図４に２つのもののみ示す。）。
【００４７】
固定ブロック１１の後面には回路基板１５の一端部が取り付けられ、該回路基板１５は図示しない電源回路に接続されている。回路基板１５は、例えば、フレキシブルプリント配線板であり、その各接続線の一端部がそれぞれ固定ブロック１１に設けられた端子部１４、１４、・・・に接続されている。
【００４８】
固定ブロック１１の端子部１４、１４、・・・にはそれぞれ支持バネ１６、１６、・・・の各後端部が接続され、該支持バネ１６、１６、・・・は端子部１４、１４、・・・を介して回路基板１５の各接続線に接続されている。支持バネ１６、１６、・・・は固定ブロック１１から前方へ向けて突出されている。
【００４９】
固定ブロック１１の前面には、左右に離隔して第１の駆動コイルとして機能するチルトコイル１７、１７が取り付けられている。チルトコイル１７、１７は略角筒状に巻回されて形成され、巻軸方向が前後方向、即ち、タンジェンシャル方向とされている。チルトコイル１７、１７は、可動ブロック１２をチルト方向へ動作させるためのコイルである。尚、チルト方向はディスク状記録媒体１００の面振れの方向（図３に示すＲ方向）、即ち、タンジェンシャル方向に延びる軸を中心とした回動方向である。
【００５０】
チルトコイル１７、１７には電源回路から回路基板１５を介してチルト調整用の駆動電流が供給される。
【００５１】
可動ブロック１２は可動ホルダー１８と第２の駆動コイル１９とを有している。
【００５２】
可動ホルダー１８はレンズ取付部２０と該レンズ取付部２０の後側に設けられたコイル保持部２１とが一体に形成されて成る。
【００５３】
レンズ取付部２０は、図５に示すように、上下方向を向く取付面部２２と該取付面部２２の左右両側縁からそれぞれ下方へ突出された補強リブ２３、２３とが一体に形成されて成る。
【００５４】
取付面部２２には上下に貫通された２つの透過孔２２ａ、２２ｂが形成され、該透過孔２２ａ、２２ｂをそれぞれ上側から覆うようにして第１の対物レンズ２４と第２の対物レンズ２５が取り付けられている。
【００５５】
補強リブ２３、２３は前半部２３ａ、２３ａより後半部２３ｂ、２３ｂが下方側への突出量が大きくされ、後半部２３ｂ、２３ｂは後方へ行くに従って下方側への突出量が大きくなるような形状に形成されている。
【００５６】
第１の対物レンズ２４は、例えば、約６６０ｎｍと約７８０ｎｍのレーザー光に対応した構成とされており、それぞれ開口数が０．６５程度及び０．５程度にされている。第２の対物レンズ２５は、例えば、約４０５ｎｍのレーザー光に対応した構成とされており、開口数が０．８５程度にされている。このように第２の対物レンズ２５は開口数が第１の対物レンズ２４より大きくされており、その分、第１の対物レンズ２４よりも厚みが厚く、重量も大きくされている。
【００５７】
第２の対物レンズ２５は第１の対物レンズ２４よりも固定ブロック１１側に配置されている（図２乃至図４参照）。第１の対物レンズ２４のレンズ中心Ｐは、図６に示すように、光ピックアップ６の移動方向、即ち、ディスク状記録媒体１００の半径方向（図２に示すＲＡＤ）に延びディスクテーブル３の回転中心Ｓを通る第１の線分Ｌｒ上に対応して位置されている。第２の対物レンズ２５のレンズ中心Ｑは、ディスク状記録媒体１００のタンジェンシャル方向に延び第１の対物レンズ２４のレンズ中心Ｐを通る第２の線分Ｌｔよりディスクテーブル３側に位置され、好ましくは、ディスク状記録媒体１００がディスクテーブル３に装着された状態において、第２の対物レンズ２５のレンズ中心Ｑは、第１の対物レンズ２４のレンズ中心Ｐの真上に位置する記録トラックＭｔの真下に位置される（図６はレンズ中心Ｑが記録トラックＭｔの真下にある状態を示す。）。
【００５８】
コイル保持部２１は上下に貫通された略矩形の枠状に形成され、コイル保持部２１の内側には第２の駆動コイル１９が保持されている。
【００５９】
第２の駆動コイル１９は、可動ブロック１２をフォーカシング方向へ動作させるためのフォーカシングコイル２６と、可動ブロック１２をトラッキング方向へ動作させるためのトラッキングコイル２７、２７とによって構成されている。フォーカシング方向はディスク状記録媒体１００に離接する方向（図３に示すＦ方向）、即ち、上下方向であり、トラッキング方向はディスク状記録媒体１００の半径方向（図３に示すＴ方向）、即ち、左右方向である。
【００６０】
フォーカシングコイル２６及びトラッキングコイル２７、２７はそれぞれ略角筒状に巻回されて形成され、フォーカシングコイル２６は巻軸方向が上下方向（フォーカシング方向）とされ、トラッキングコイル２７、２７は巻軸方向が前後方向（タンジェンシャル方向）とされている。トラッキングコイル２７、２７はフォーカシングコイル２６の前面に左右に離隔して設けられている。
【００６１】
フォーカシングコイル２６及びトラッキングコイル２７、２７の各一端部は、それぞれ可動ホルダー１８の両側面に設けられた接続端子部１８ａ、１８ａ、・・・に接続されている。接続端子部１８ａ、１８ａ、・・・にはそれぞれ支持バネ１６、１６、・・・の各前端部が接続されている。従って、可動ブロック１２は支持バネ１６、１６、・・・によって固定ブロック１１と連結されて中空に保持される。
【００６２】
支持バネ１６、１６、・・・には、電源回路から回路基板１５を介してフォーカシング調整用又はトラッキング調整用の駆動電流が供給される。従って、支持バネ１６、１６、・・・のうち各２本ずつが、それぞれフォーカシングコイル２６とトラッキングコイル２７、２７への給電部材として機能する。
【００６３】
フォーカシングコイル２６の前側の部分とトラッキングコイル２７、２７の前後両側には、それぞれヨーク部９ｂ、９ｂに取り付けられたマグネット１３、１３が配置される。
【００６４】
可動ホルダー１８のコイル保持部２１の後面には、左右に離隔してバックヨーク２８、２８とチルトマグネット２９、２９が重ねられた状態で取り付けられている（図２乃至図４参照）。チルトマグネット２９、２９は、それぞれ固定ブロック１１の前面に取り付けられたチルトコイル１７、１７に対向して位置される。
【００６５】
電源回路から回路基板１５及び支持バネ１６、１６、・・・を介してフォーカシングコイル２６又はトラッキングコイル２７、２７、・・・に駆動電流が供給されると、これらの駆動電流の向きとマグネット１３、１３及びヨーク部９ｂ、９ｂにより発生する磁束の方向とによって、可動ブロック１２がフォーカシング方向又はトラッキング方向に移動される。
【００６６】
また、電源回路から回路基板１５を介してチルトコイル１７、１７に駆動電流が供給されると、これらの駆動電流の向きとバックヨーク２８、２８、チルトマグネット２９、２９により発生する磁束の方向とによって、可動ブロック１２がチルト方向に移動される。
【００６７】
可動ブロック１２がフォーカシング方向、トラッキング方向又はチルト方向へ動作されるときには、支持バネ１６、１６、・・・が弾性変形される。
【００６８】
可動ホルダー１８に設けられた第１の対物レンズ２４と第２の対物レンズ２５の下方には、それぞれ第１の立ち上げミラー３０と第２の立ち上げミラー３１が配置されている（図５及び図７参照）。第１の立ち上げミラー３０と第２の立ち上げミラー３１はそれぞれ三角柱状に形成され、反射面（斜面）３０ａ、３１ａが異なる向きで移動ベース７上に配置されている（図７参照）。従って、図示しない光源から出射され第１の立ち上げミラー３０に入射されるレーザー光Ｒ１と、同じく図示しない光源から出射され第２の立ち上げミラー３１に入射されるレーザー光Ｒ２とは、異なる角度で第１の立ち上げミラー３０又は第２の立ち上げミラー３１に入射される。
【００６９】
例えば、図７に示すように、第１の立ち上げミラー３０にはレーザー光Ｒ１が略前方から入射され、第２の立ち上げミラー３１にはレーザー光Ｒ２が略右方から入射される。
【００７０】
第２の立ち上げミラー３１は第１の立ち上げミラー３０より下方に位置されており（図５参照）、第２の立ち上げミラー３１に入射されるレーザー光Ｒ２の光軸は第１の立ち上げミラー３０に入射されるレーザー光Ｒ１の光軸に比し、下方側に位置されている。
【００７１】
このように、固定ブロック１１側に配置される第２の立ち上げミラー３１を第１の立ち上げミラー３０より下方に位置させ、第１の立ち上げミラー３０と第２の立ち上げミラー３１に入射されるレーザー光Ｒ１、Ｒ２の光軸をフォーカシング方向において異なる位置に設定することにより、可動ホルダー１８の補強リブ２３、２３の後半部２３ｂ、２３ｂを第２の立ち上げミラー３１に接触しない位置まで下方に大きく突出させて形成することができる。
【００７２】
従って、可動ブロック１２の剛性が高くなり、可動ブロック１２の動作時における共振特性の向上を図ることができる。
【００７３】
また、対物レンズ駆動装置８にあっては、上記したように、第２の駆動コイル１９側に配置された第２の対物レンズ２５の重量が第１の対物レンズ２４の重量より大きくされている。
【００７４】
このように重量の大きな第２の対物レンズ２５を重量の小さな第１の対物レンズ２４より第２の駆動コイル１９側に配置したので、第２の駆動コイル１９のフォーカス及びトラッキング駆動力発生位置と、可動ブロック１２全体の重心位置とを略一致させる際の付加重量の低減が可能となり、対物レンズ駆動装置８の高感度化を図ることができる。
【００７５】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００７６】
この記録動作及び再生動作において、フォーカシングコイル２６に駆動電流が供給されると、上記したように、対物レンズ駆動装置８の可動ブロック１２が固定ブロック１１に対して図３に示すフォーカシング方向Ｆ―Ｆへ動作され、移動ベース７に設けられた図示しない光源から出射され第１の対物レンズ２４又は第２の対物レンズ２５を介して照射されるレーザー光のスポットがディスク状記録媒体１００の記録トラック上に集光するようにフォーカシング調整が為される。
【００７７】
また、トラッキングコイル２７、２７に駆動電流が供給されると、上記したように、対物レンズ駆動装置８の可動ブロック１２が固定ブロック１１に対して図３に示すトラッキング方向Ｔ―Ｔへ動作され、光源から出射され第１の対物レンズ２４又は第２の対物レンズ２５を介して照射されるレーザー光のスポットがディスク状記録媒体１００の記録トラック上に集光するようにトラッキング調整が為される。
【００７８】
さらに、チルトコイル１７、１７に駆動電流が供給されると、上記したように、対物レンズ駆動装置８の可動ブロック１２が固定ブロック１１に対して図３に示すチルト方向Ｒ―Ｒへ動作され、光源から出射され第１の対物レンズ２４又は第２の対物レンズ２５を介して照射されるレーザー光のスポットがディスク状記録媒体１００の反りに対応して略垂直に集光するようにチルト調整が為される。
【００７９】
記録動作及び再生動作において、光ピックアップ６は、ディスク状記録媒体１００の内周側から外周側へ移動される。光ピックアップ６がディスク状記録媒体１００の内周側の移動端に移動された場合に、ディスクテーブル３に装着されたディスク状記録媒体１００がＤＶＤ１００ａ又はＣＤ１００ｂであるときに、第１の対物レンズ２４のレンズ中心Ｐが最内周の記録トラックに対応して位置される。一方、光ピックアップ６がディスク状記録媒体１００の内周側の移動端に移動された場合に、ディスクテーブル３に装着されたディスク状記録媒体１００がＢＤ１００ｃ又はＡＯＤ１００ｄであるときには、上記したように、第２の対物レンズ２５のレンズ中心Ｑが、第１の対物レンズ２４のレンズ中心Ｐを通る第２の線分Ｌｔよりディスクテーブル３側に位置されており、レンズ中心ＱがＢＤ１００ｃ又はＡＯＤ１００ｄの最内周の記録トラックに対応して位置される。
【００８０】
以上に記載した通り、光ピックアップ６にあっては、第１の対物レンズ２４のレンズ中心Ｐがディスクテーブル３の回転中心Ｓを通りディスク状記録媒体１００の半径方向に延びる第１の線分Ｌｒ上に位置され、第２の対物レンズ２５のレンズ中心Ｑがタンジェンシャル方向に延びレンズ中心Ｐを通る第２の線分Ｌｔよりディスクテーブル３側に位置されているため、ディスクテーブル３やスピンドルモーターの一部を凹ます等の設計を行うことなく、第１の対物レンズ２４及び第２の対物レンズ２５によって各ディスク状記録媒体１００の最内周に記録された情報信号の読取を行うことができる。
【００８１】
また、対物レンズ駆動装置８をタンジェンシャル方向に対して斜めに配置しないため、トラッキング調整時において可動ブロック１２が移動される方向がディスク状記録媒体１００の半径方向に一致し、チルト調整時において可動ブロック１２が移動される方向がディスク状記録媒体１００の面振れ等に追従する方向に一致し、トラッキング調整時及びチルト調整時における制御動作の適正化及び動作の信頼性の向上を図ることができる。
【００８２】
さらに、第１の対物レンズ２４のレンズ中心Ｐをディスクテーブル３の回転中心Ｓを通る第１の線分Ｌｒ上に位置させているため、第１の対物レンズ２４を用いて情報信号の記録再生を行うディスク状記録媒体１００において、トラッキング誤差信号の読取を所謂３ビーム法や差動プッシュプル法を用いて行うことができる。尚、第２の対物レンズ２５を用いて情報信号の記録再生を行うディスク状記録媒体１００においては、トラッキング誤差信号の読取を１ビームを用いた方法により行えばよい。
【００８３】
さらにまた、対物レンズ駆動装置８にあっては、第１の駆動コイルとして機能するチルトコイル１７、１７及び第２の駆動コイル１９が２つの対物レンズ２４、２５と固定ブロック１１との間に配置されているため、第１の立ち上げミラー３０及び第２の立ち上げミラー３１にそれぞれ入射されるレーザー光Ｒ１、Ｒ２の光路をチルトコイル１７、１７、チルトマグネット２９、２９、第２の駆動コイル１９、マグネット１３、１３等によって構成される各磁気回路と同じ高さ位置に設定することができ、その分、対物レンズ駆動装置８の薄型化を図ることができる。このような薄型化は、特に、携帯用の機器に用いられる光ピックアップにおいて好適である。
【００８４】
上記には、第１の立ち上げミラー３０と第２の立ち上げミラー３１を各反射面３０ａ、３１ａが異なる向きで移動ベース７上に配置し、光源から出射され第１の立ち上げミラー３０に入射されるレーザー光Ｒ１と光源から出射され第２の立ち上げミラー３１に入射されるレーザー光Ｒ２とを異なる角度で第１の立ち上げミラー３０又は第２の立ち上げミラー３１に入射させた例を示したが、以下のように、レーザー光Ｒ１とレーザー光Ｒ２とを同じ向きでそれぞれ第１の立ち上げミラーと第２の立ち上げミラーに入射させることもできる（図８参照）。
【００８５】
例えば、第１の立ち上げミラー３０Ａとして立方体形状又は直方体形状に形成されたキューブ型のビームスプリッターを用いる。第１の立ち上げミラー３０Ａは反射面（透過面）３０ｂが波長選択性を有する傾斜面に形成されており、６６０ｎｍ及び７８０ｎｍ付近のレーザー光Ｒ１は反射するが、４０５ｎｍ付近のレーザー光Ｒ２は透過するように構成されている。第１の立ち上げミラー３０Ａと第２の立ち上げミラー３１とは、反射面３０ｂと反射面３１ａとが同じ方向を向くように移動ベース７上に配置されている。
【００８６】
第１の対物レンズ２４の厚みは第２の対物レンズ２５の厚みより薄くされている。従って、第１の対物レンズ２４の下端は第２の対物レンズ２５の下端より上方に位置されている。
【００８７】
このように厚みの薄い第１の対物レンズ２４をキューブ状の第１の立ち上げミラー３０Ａの下方に配置することにより、可動ブロック１２がフォーカシング方向へ移動されたときにおいても、第１の対物レンズ２４が第１の立ち上げミラー３０Ａと接触するおそれがなく、対物レンズ駆動装置８の小型化を図ることができる。
【００８８】
また、上記のように第１の立ち上げミラー３０Ａと第２の立ち上げミラー３１に入射されるレーザー光Ｒ１とレーザー光Ｒ２の光路を同じ光路とすることにより、光路上に配置される各光学素子の部品の共通化や各光学素子の配置スペースを小さくすることができ、光ピックアップ６の部品点数の低減及び小型化を図ることができる。
【００８９】
尚、上記には、第１の対物レンズ２４のレンズ中心Ｐを第１の線分Ｌｒ上に対応して位置させると共に第２の対物レンズ２５のレンズ中心Ｑを第２の線分Ｌｔよりディスクテーブル３側に位置させた例を示したが、逆に、第２の対物レンズ２５のレンズ中心Ｑを第１の線分Ｌｒ上に対応して位置させると共に第１の対物レンズ２４のレンズ中心Ｐを第２の線分Ｌｔよりディスクテーブル３側に位置させるようにすることも可能である。この場合には、好ましくは、ディスク状記録媒体１００がディスクテーブル３に装着された状態において、第１の対物レンズ２４のレンズ中心Ｐは、第２の対物レンズ２５のレンズ中心Ｑの真上に位置する記録トラックＭｔの真下の位置に存在するようにする。
【００９０】
上記には、フォーカシング方向を上下方向、トラッキング方向を左右方向として説明したが、これらの方向は説明の便宜上、例として示したものであり、特にこれらの方向に限定されることはない。
【００９１】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９２】
【図１】図２乃至図８と共に本発明を実施するための最良の形態を示すものであり、本図はディスクドライブ装置の概略斜視図である。
【図２】対物レンズ駆動装置の一部を分解して示す拡大斜視図である。
【図３】対物レンズ駆動装置の拡大斜視図である。
【図４】対物レンズ駆動装置の拡大平面図である。
【図５】対物レンズ駆動装置の一部を断面にして示す拡大側面図である。
【図６】対物レンズの配置位置を説明するための概略平面図である。
【図７】対物レンズと立ち上げミラーの関係を示す概略平面図である。
【図８】別の立ち上げミラーを用いた対物レンズ駆動装置の一部を断面にして示す拡大側面図である。
【図９】図１０と共に従来の光ピックアップを示すものであり、本図は２つの対物レンズがタンジェンシャル方向に離隔して配置された例を示す概略平面図である。
【図１０】対物レンズ駆動装置がタンジェンシャル方向に対して斜めに配置された例を示す概略平面図である。
【符号の説明】
【００９３】
１００…ディスク状記録媒体、１…ディスクドライブ装置、３…ディスクテーブル、６…光ピックアップ、７…移動ベース、８…対物レンズ駆動装置、１１…固定ブロック、１６…支持バネ、１７…チルトコイル（駆動コイル）、１８…可動ホルダー、１９…第２の駆動コイル、２４…第１の対物レンズ、２５…第２の対物レンズ、３０…第１の立ち上げミラー、３１…第２の立ち上げミラー、３０Ａ…第１の立ち上げミラー、Ｐ…レンズ中心、Ｑ…レンズ中心、Ｓ…回転中心、Ｌｒ…第１の線分、Ｌｔ…第２の線分
【図１】
2005302164.tif 000003
【図２】
2005302164.tif 000004
【図３】
2005302164.tif 000005
【図４】
2005302164.tif 000006
【図５】
2005302164.tif 000007
【図６】
2005302164.tif 000008
【図７】
2005302164.tif 000009
【図８】
2005302164.tif 000010
【図９】
2005302164.tif 000011
【図１０】
2005302164.tif 000012